(57)【要約】【課題】導光板の発光面の全面が均一な明るさとなり、かつ安価に製造できるエッジライト形照明装置を提供する。【解決手段】方形平板状の導光板の側端面に光源を対向配置し、この光源から前記導光板に光を入射して導光板の表面から出射し、この表面から出射する光により照光するようにしたエッジライト形照明装置において、前記導光板の対向する２つの側端面に、それぞれこの側端面の幅の１／２以下の長さの光源を互いに対向しない位置にずらして配置する。【選択図】図１
2013131450.tif 000002
【特許請求の範囲】
【請求項１】
方形平板状の導光板の側端面に光源を対向配置し、この光源から前記導光板に光を入射して導光板の表面から出射し、この表面から出射する光により照光するようにしたエッジライト形照明装置において、前記導光板の対向する２つの側端面に、それぞれこの側端面の幅の１／２以下の長さの光源を互いに対向しない位置にずらして配置したことを特徴とするエッジライト形照明装置。
【請求項２】
前記導光板の背面の前記各光源と対向する領域面に、それぞれ光源の配置された側の側端から、これに対向する側端側へ、面積または分布密度が漸次増大するように反射ドットを形成したことを特徴とする請求項１に記載のエッジライト形照明装置。
【請求項３】
前記導光板の光源の配置された各側端面の光源に対向しない部分に反射シートを貼り付けることを特徴とする請求項１又は２に記載のエッジライト形照明装置。
【発明の詳細な説明】
【技術分野】
【０００１】
この発明は、矩形状の導光板の端面に対向して光源を配置し、導光板の上面に配置した表示装置等を背面等から照光するエッジライト形の照明装置に関する。
【背景技術】
【０００２】
バックライトとして使用されているこの種の照明装置としては、従来から、例えば特許文献１に記載されるようによく知られている。この特許文献１に示された従来のエッジライト形の照明装置を、図１０および１１に示す。
【０００３】
図１０は、表示装置にバックライトとして組み込んだ照明装置を分解して示す斜視図であり、図１１は、照明装置の構成を示すものであり、（ａ）はその平面図、（ｂ）はその側面図である。
【０００４】
図１０に示すように、表示装置１００は、エッジライト形照明装置１１０と、表面に適宜の表示パターンの形成された表示パネル１２０とを備える。照明装置１１０は、矩形状の平板で形成された導光板１１１と、この導光板１１１の下側端面に配置したＬＥＤ（発光ダイオード）で構成された光源１１２と、導光板１１の裏面に配置された反射シート１１３と、導光板１１１の表面（発光面）に配置された拡散シート１１４とで構成される。この照明装置１１０は、表示パネル１２０の背面側に配置し、この表示パネル１２０を背面から照光する。これにより、表示パネル１２０の表示パターンが視覚的に明瞭化され、表示装置１００の表示効果を高めることができる。
【０００５】
このような表示装置１００に使用されている照明装置１１０は、表示効果をより高めるために、導光板１１１の発光面となる表面１１１ａの輝度の分布を均一にして全体を均一な明るさにすることが望ましい。
【０００６】
このため、照明装置１１０の導光板１１１の裏面（背面）１１１ｂには、図１１（ａ）に示すように、導光板１１１の側端面に配置された光源１１２から導光板１１１内に入射された光を発光面となる表面１１１ａ側へ反射するように、導光板１１１の裏面１１１ｂに、例えば多数の円形の反射ドットで形成された反射部１１４を設けている。そして、この反射部１１４の反射ドットの面積、又は密度が、導光板１１１の光源１１２の配置された側端面１１１ｃと対向する光源の配置されていない側端面１１１ｄに向かって大きくなるように反射ドットの大きさや個数が調整される。これによって、導光板１１１の光源の配置されない上側端面１１１ｂ側での表面側への反射される光量が下側端面１１１ａ側より増大されるようになる。この結果、反射部１１４によって、に導光板１１１の下端面１１１ａに入射された光が上端側へ導光されるほど減衰量が大きくなり、表面１１１ａの上端付近での出射光量の減少を補うことができるため、表面１１１ａの全面の発光量が均等化され、導光板１１１の発光面となる表面１１１ａの上端部と下端部の明暗の差が縮小され全面をより均一な明るさにすることができる。
【０００７】
しかしながら、前記のように導光板１１１の一側端面だけに光源を配置したのでは、導光板１１１の裏面に設ける反射部の反射ドットの配置、大きさ等を種々工夫しても発光面の明るさの均一化には限界があり、どうしても、導光板１１１の発光面の光源の配置されない端面側が、光源の配置された端面側より暗くなり、明るさを均一にすることができない問題が残る。
【０００８】
これに対して、特許文献２に示されるように、照明装置における導光板の２つの対向する側端面に光源を配置するようにすると、導光板の発光面の両端における明暗の差をなくすことができ、発光面の全面がより均一な明るさになる照明装置を得ることことができ、この問題を解消することができる。
【０００９】
ところが、この従来の照明装置は、導光板の対向する両側端面に、それぞれ、側端面の幅とほぼ等しい長さの光源を配置するようにしているので、長さの長い光源が必要となる。ＬＥＤを用いた光源に限らないが、光源は、長さが長くなると価格が高くなるため、導光板の対向する両側端面に、端面の幅と等しい長さの光源を配置するようにすると照明装置の製造価格が高価となる問題が生じる。
【先行技術文献】
【特許文献】
【００１０】
【特許文献１】特開２００７‐０７３２０６号公報
【特許文献２】特開平０７‐３１８７３０号公報
【発明の概要】
【発明が解決しようとする課題】
【００１１】
この発明の課題は、前記のような従来装置における問題を解消して、導光板の発光面の全面が均一な明るさとなり、かつ安価に製造できるエッジライト形照明装置を提供することである。
【課題を解決するための手段】
【００１２】
前記の課題を解決するため、この発明は、方形平板状の導光板の側端面に光源を対向配置し、この光源から前記導光板に光を入射して導光板の表面から出射し、この表面から出射する光により照光するようにしたエッジライト形照明装置において、前記導光板の対向する２つの側端面にそれぞれ、この側端面の幅の１／２以下の長さの光源を互いに対向しない位置にずらして配置したことを特徴とするものである。
【００１３】
この発明においては、前記導光板の背面の前記各光源と対向する領域にそれぞれ、光源の配置された側の側端から、これに対向する側端側へ、面積または分布密度が漸次増大するように反射ドットを形成すると、導光板の表面の明るさをより均一にすることができる。
【００１４】
さらに、この発明においては、前記導光板の光源の配置された各側端面の光源に対向しない部分に反射シートを貼り付けることにより、より表面の明るさの均一化が図れる。
【発明の効果】
【００１５】
この発明によれば、前記のようにエッジライトの導光板の対向する２つの側端面に配置する光源の長さを、側端面の幅の１／２以下の長さとし、かつ各側端面に配置する光源を、互いに対向しない位置にずらして配置しているので、光源の長さが、２つの光源の長さを合わせても、最大で導光板の側端面の幅と等しい長さで済むので、光源の長さが短縮されるため、光源の価格を低減することができる。
【００１６】
そして、導光板の対向する両側端面に光源を配置することにより、導光板の両側端から光が拡散されるので表面の両側端での明暗の差をなくすことができ前面の明るさを均一にすることができる。
【図面の簡単な説明】
【００１７】
【図１】この発明の実施例による照明装置の構成を示す分解斜視図。
【図２】この発明の実施例による照明装置の表面から見た斜視図。
【図３】この発明の実施例による照明装置の背面から見た斜視図。
【図４】この発明の実施例による照明装置の部分的な平面拡大断面図。
【図５】この発明の実施例による照明装置における導光板に設けた反射ドットの配置を示す平面図。
【図６】従来の照明装置を使用した表示装置の構成を示す分解斜視図。
【図７】従来の照明装置の構成を示すもので、（ａ）は、正面図、（ｂ）は側面断面図。
【発明を実施するための形態】
【００１８】
この発明の実施の形態を図に示す実施例に基づいて以下に説明する。
【実施例】
【００１９】
この発明の実施例を図１〜図５に示す。
【００２０】
図１〜図５において、１０はエッジライト形照明装置である。この照明装置１０は、例えば、方形平板状の透明なアクリル樹脂板で形成された導光板１１と、この導光板１１の対向する上下端面１１ｃ、１１ｄにそれぞれ対向配置される２個の光源１２（１２−１、１２−２）と、導光板１１の裏面１１ｂに貼り付けられる裏面反射シート１３と、導光板１１を保持する導光板保持フレーム１４と、光源１２を保持して、フレーム１４の上下両端に結合する光源保持ケース１５（１５−１、１５−２）と、導光板１１の上下両端面の光源１２と対向しない部分に貼り付けられる端面反射シート１６（１６−１、１６−２）とを備える。
【００２１】
導光板１１を保持する導光板保持フレーム１４は、導光板１１とほぼ同じ大きさのアルミニウム等の金属材で形成され、左右両端にチャネンル状に折曲形成された保持溝１４ａおよび１４ｂを備える。導光板１１は、裏面１１ｂに反射シート１３貼り付けて、この保持フレーム１４の保持溝１４ａ、１４ｂに挿入され、固定ねじにより保持フレーム１５に締付け固定される。
【００２２】
光源１２は、所要数のＬＥＤチップの搭載された発光基板１２ａと、この発光基板１２ａにリード線を介して接続される電源コネクタ１２ｂとにより構成されている。この光源１２を保持する保持ケース１５は、熱伝導度の高い金属、例えばアルミニウムにより断面がほぼコ字形に形成される。この保持ケース１５は、図４に示すように、外部に露出させた複数の放熱フィンを有し、保持ケース１５の内部に一体に形成された放熱体を兼ねた保持台１５ａを備える。光源１２の発光基板１２ａは、この保持台１５ａ上に載置し、ねじでこれに固定することによって保持ケース１５により保持され、コネクタ１２ｂは、保持ケースに設けた引出穴からケースの外へ引き出される。
【００２３】
このように、それぞれ光源１２−１、１２−２を保持した保持ケース１５−１、１５−２は導光板１１を保持した保持フレーム１４の上下両端に嵌め合わせて、保持ケース１５−１、１５−２をフレーム１４にねじで固定することによって、照明装置１０の組み立てが完成する。
【００２４】
このようにして組み立てられた照明装置１０は、図２におよび図３に示すように導光板１１を保持した保持フレーム１４の上端および下端にそれぞれ保持ケース１５−１および１５−２が配設された構成となる。
【００２５】
これにより、各保持ケース１５（１５−１、１５−２）の内部に保持された光源１２（１２−１、１２−２）が、それぞれ導光板１１の上端面１１ｃおよび下端面１１ｄと対向した位置に配置される。この導光板１１の上下端面に対向配置された光源１２−１および１２−２の長さｌは、導光板１１の光源の配置される端面の幅ｗの１／２以下の長さにされており、ここに示す実施例では、光源１２の長さｌを、導光板１１の幅ｗのほぼ１／３にした例を示している。
【００２６】
導光板１１の上下端面に対向配置した光源１２−１および１２−２は、図５に示すように、上端面１１ｃ側では、左端に寄せて配置し、下端面１１ｄ側は、右端に寄せて配置するので、互いに対向しない配置となっている。導光板１１の上端面１１ｃの光源１２−１と対向しない部分には、これと対向する位置に配置された下端側の光源１２−２から入射された光を反射するための端面反射シート１６−１が貼り付けられている。また、導光板１１の下端面１１ｄの光源１２−２と対向しない部分には、これと対向する位置に配置された上端側の光源１２−１から入射された光を反射するための端面反射シート１６−２が貼り付けられている。
【００２７】
さらに、導光板１１の裏面（背面）１１ｂには、光源１２−１および１２−２から導光板１１の上下端面１１ｃおよび１１ｄを通して導光板１１に入射された光を発光面となる導光板１１の表面（正面）１１ａ側へ反射、拡散するために、導光板１１の裏面１１ｂには、裏面反射シート１３が貼り付けられとともに、裏面１１ｂに直接印刷やレーザ加工することによって、図５に示すような多数の円形の反射ドット１１ｐが加工形成されている。
【００２８】
導光板１１の板面は、図５に示すように、上下端に配置された光源１２−１と１２−２の互いに接近する側の端部間を結んだ仮想の分割線ＤＬによって左右の２つの領域面Ａ、Ｂに区分されている。上端の光源１２−１に端部の対向する領域面Ａに形成された反射ドット１１ｐは、光源１２−１の配置された上端面１１ｃ側からこれと対向する下端面１１ｄに向かって、ドットの大きさや個数や分布密度が増大するように形成され、反射ドットの面積が導光板１１の上端から下端に向かって漸次増大する。また、下端の光源１２−２に端部の対向する領域面Ｂに形成された反射ドット１１ｐは、反対に、光源１２−２の配置された下端面１１ｄ側からこれと対向する上端面１１ｃに向かって、ドットの大きさや個数や分布密度が増大するように形成され、反射ドットの面積が導光板１１の下端から上端に向かって漸次増大する。
【００２９】
これによって、導光板１１の領域面Ａでは、上端の光源１２−１から導光板１１に入射された光が反射ドット１１ｐによって反射して表面から出射する光量が下端側で大きくなり、そして、導光板１１の領域面Ｂでは、反対に、下端の光源１２−２から導光板１１に入射された光が反射ドット１１ｐによって反射して表面から出射する光量が上端側で大きくなる。
【００３０】
このように導光板１１の左右に区分された領域面ＡおよびＢにおいて反射ドット１１ｐの配置パターンの変化を互いに反対にすることによって、導光板１１の上下端面に配置された光源１２−１および１２−２から導光板１１に入射された光の対向端面側へ進行する過程での減衰がそれぞれ補償されるようになるので、導光板１１の発光面となる表面１１ａの全面の明るさを均等かする作用が高められる。
【００３１】
このように構成されたこの発明のエッジライト形照明装置１０においては、光源１２−１および１２−２に電源コネクタ１２ｂを介して電源から給電を行うと、それぞれの発光基板１２ａの図示しないＬＥＤチップが発光し、その光が導光板１１の上下端面から導光板１１の中に入射すされる。導光板１１に入射された光は、導光板１１の中を拡散しながら進行し、裏面反射シート１３や反射ドット１１ｐおよび端面反射シートにより導光板１１の発光面となる表面（正面）１１ａ側に反射されここから出射され、この照明装置１０に対向配置された表示装置等を照光する。
【００３２】
この場合、この発明の照明装置１０においては、長さｌを導光板１１の上下端面の幅ｗの１／２以下の長さにした光源１２−１および１２−２を、導光板１１の上下両端面に、互いに対向しない位置にずらして対向配置しているので、光源の全体の長さを導光板１１の上下端面の幅ｗ以下の長さに短縮することができ、光源の価格を安価にすることができる。
【００３３】
また、導光板１１の端面には、導光板の端面の幅ｗより長さの短い光源が配置されるので、各端面に光源の配置されない部分が生じるが、対向する両端面にそれぞれ光源を配置するので、各端面の光源の配置されない部分にも、各端面に配置された光源の光が拡散されて、導光板１１の発光面の上下端における明暗の差をなくすことができ、発光面の明るさがより均一なエッジライト形照明装置を得ることができる。
【符号の説明】
【００３４】
１０：エッジライト形照明装置
１１：導光板
１１ｐ：反射ドット
１２（１２−１，１２−２）：光源
１３：裏面反射シート
１４：導光板保持フレーム
１５：光源保持ケース
１６（１６−１，１６−２）：端面反射シート
【図１】
2013131450.tif 000003
【図２】
2013131450.tif 000004
【図３】
2013131450.tif 000005
【図４】
2013131450.tif 000006
【図５】
2013131450.tif 000007
【図６】
2013131450.tif 000008
【図７】
2013131450.tif 000009